(57)【特許請求の範囲】
【請求項１】
タブレットに対し位置を指示するための回路構成をその内部に有し、該回路構成と接続し該回路構成を変化させるための電極をその筐体に有する本体と、
該本体に対して着脱可能で、且つ、該本体の軸方向において所定の自由度をもってスイッチ操作可能であり、少なくとも一つの操作部と該操作部を操作したときに前記電極と接触して前記回路構成を変化させてタブレットに対し該操作状態を通知することのできるスイッチユニット
からなることを特徴とする位置指示器。
【請求項２】
本体の先端部付近に、該本体の径をやや細くした凹部を設け、該凹部に、本体の軸方向に所定の長さをもった前記電極を該軸方向に離して二設つけ、該凹部の軸方向の任意の位置で自由に前記スイッチ操作を可能したことを特徴とする請求項１記載の位置指示器。
【請求項３】
スイッチユニットを本体に固定可能にする手段を設けたことを特徴とする請求項１記載の位置指示器。
【請求項４】
スイッチユニットを本体凹部に固定可能にする手段を設けたことを特徴とする請求項２記載の位置指示器。
【発明の詳細な説明】
【０００１】
【産業上の利用分野】
この発明は、座標入力装置において使用される位置指示器に関するものである。
【０００２】
【従来の技術】
座標入力装置の位置指示器には、通常ペンダウン状態をタブレットに通知するためのスイッチが位置指示器内に設けられているが、ペンダウン状態以外の操作状態を通知するためのサイドスイッチが設けられているものがある。このサイドスイッチは、通常位置指示器の先端部付近に、ちょうど位置指示器を持った手の人差し指で操作できるような位置に設けられている。
【０００３】
このサイドスイッチは、上述した通り、ペンダウン以外の操作状態を通知できるので便利であるが、位置指示器を操作しているときに誤って押してしまったりすることがある。又、サイドスイッチの位置は固定されており、位置指示器の握り方や指の長さが人によって異なるため、サイドスイッチを操作しずらい場合があるといった問題があった。
【０００４】
【発明が解決しようとする課題】
そこで、本発明では、位置指示器にサイドスイッチ機能を持たせつつ、サイドスイッチ機能の使用を希望しない場合には、該スイッチの操作機構を位置指示器より取り外し可能に構成するとともに、サイドスイッチ機能を使用する場合には、操作機構を多少の自由度をもって位置指示器の任意の位置に取り付けて操作可能な位置指示器を提供することになる。
【０００５】
【課題を解決するための手段】
上記課題を解決するために、本発明は、
タブレットに対し位置を指示するための回路構成をその内部に有し、該回路構成と接続し該回路構成を変化させるための電極をその筐体に有する本体と、
該本体に対して着脱可能で、且つ、該本体の軸方向において所定の自由度をもってスイッチ操作可能であり、少なくとも一つの操作部と該操作部を操作したときに前記電極と接触して前記回路構成を変化させてタブレットに対し該操作状態を通知することができるスイッチユニット
とからなる。
【０００６】
【作用】
スイッチユニットは、作業者の指の長さや握りの癖に合わせて位置指示器の軸方向にある程度の自由度をもって装着できるように構成されている。又、スイッチユニットは、サイドスイッチ機能を使用しない場合には、取り外すことができる。ユニットを所望の位置に装着し操作部を操作すると、位置指示器本体内部の回路構成が変化し、タブレットに対しサイドスイッチを操作したことが通知される。
【０００７】
【実施例】
図１は、本発明の位置指示器の概観図である。１は位置指示器本体、２はスイッチユニットである。
図２は、位置指示器内部の回路構成である。図の点線で囲まれたインダクタンスＬ0とキャパシタンスＣ0で構成される同調回路は基本同調回路で、その共振周波数はf0となっており、タブレットに配設されたＸ軸及びＹ軸方向のループコイルから発信される周波数f0の電波に同調し、該同調に起因した電波をタブレット側に発信し、位置指示器の位置を示すために使用される。
【０００８】
キャパシタンスＣDが、スイッチPDがオンされることによって前記同調回路と接続されると、位置指示器は、タブレットに対しタブレットから発進された電波と位相の異なる電波を発信する。スイッチPDは、位置指示器の先端に設けられている芯体１０をタブレットに押し付けたときにオンする構成となっている。通常、このスイッチをペンダウンスイッチと呼んでいる。タブレットに対し位置指示器を押し付けているかどうかをタブレットが検知するためのスイッチである。
キャパシタンスＣ1は、スイッチＳＷ１を介して基本同調回路に接続されるようになっている。このスイッチＳＷ１は、スイッチユニットの操作部２０を指で押すとオンとなる構成となっている。
【０００９】
図３は位置指示器本体１においてスイッチユニットを取り外した場合の状態図である。位置指示器本体の筐体は図に示すように、スイッチユニットを装着する部分が少し細くなっている。その細くなっている部分に、電極３１及び３２が設けられている。番号は図２における番号と一致している。即ち、３１、３２はキャパシタンスＣ１を基本同調回路に接続するための端子電極となっている。
【００１０】
図４は、スイッチユニットの概観図である。中央の孔に位置指示器本体が入るようになっている。２０は、全述の通り、スイッチ操作部であり、指で押すと押した方向に押し下げられ、指の力を解除するともとの位置に復元するようになっている。
【００１１】
図５（ａ）はスイッチユニットのＡ−Ａ’断面図、図５（ｂ）はスイッチユニットを位置指示器本体に装着した状態における断面図である。図において、２１、２２は電極で、電極２１は電極２２から延びた略半円弧状のものである。電極２１は、操作部２０を指で押し下げると該操作部とともに位置指示器本体の方へ押し下げられ、電極３１と接触するようになっている。電極３１、３２は、位置指示器筐体の少し細くなった部分において、位置指示器の軸方向に所定の長さをもって設けられている。このため、スイッチユニットは該凹部において位置指示器の軸方向にやや自由度をもって装着しスイッチ操作をすることができるようになっている。即ち、電極３２はユニットが凹部に装着されていれば電極２２と接触でき、電極２１と接触することはない。又、電極２１はスイッチユニットが凹部に装着されているときに操作部２０を押し下げさえすれば電極３１と接触する
。
【００１２】
以上のように、本発明では、位置指示器の握り方や指の長さには個人差があり、サイドスイッチの操作部の位置が固定されていると操作しずらい場合があることに鑑み、操作者がサイドスイッチとしての操作部２０を自分に都合のよい位置において操作できるようにしたものである。
【００１３】
又、本発明では、図５（ａ）及び図５（ｂ）に示すように、ユニットの後端部には、締め付け用のネジが２５及該ネジ絞め付け用の孔２６が設けられており、スイッチユニットを位置指示器の凹部に固定して、安易に動かないようにしてから、スイッチ操作ができるようにすることができる。
【００１４】
このサイドスイッチは、ＣＧ（コンピューターグラフィックス）等において、例えばエアブラシなどの操作など、アプリケーションプログラムの内容に応じて多彩な使い方ができて便利である。しかし一方、タブレットで手書文字認識などを行う場合、誤動作等によりサイドスイッチが必ずしも装着されていない方がよい場合がある。そのようなときには、前述したネジ２５をゆるめてスイッチユニット２を位置指示器本体から取り外して使用することができる。この場合、電極３１、３２が指の脂やごみなどによって汚れるのを防止するために、通常シャープペンシルやボールペンの滑り止めのために使用される円筒状のゴム４０を凹部に装着することができる。こうすれば、汚れ防止と滑り止めの両方の効果を発揮することができる。
【００１５】
尚、上記実施例では、スイッチ操作部が一つの例について説明したが、用途に応じて二つ又はそれ以上とすることもできる。又、位置指示器本体内部の回路構成は一例であって、それ以外のものであってもよいことは言うまでもない。
【００１６】
【発明の効果】
本発明によれば、サイドスイッチの操作を必要としないような作業、例えば手書文字入力を行う場合は、サイドスイッチ操作部を取り外して作業を行うことができ、サイドスイッチを誤動作する心配がない。これに対し、サイドスイッチの操作を伴う作業を行う場合は、スイッチユニットを取り付けて、適宜必要な作業を行うことができる。この場合、操作部の位置を作業者の握り方や手の長さに合わせて容易に調節することができる。
【図面の簡単な説明】
【図１】  本発明の位置指示器の概観図
【図２】  位置指示器本体内部の回路構成図
【図３】  スイッチユニットを取り外した場合の位置指示器本体の概観図
【図４】  スイッチユニットの概観図
【図５（ａ）】  スイッチユニットのＡ−Ａ’断面図
【図５（ｂ）】  スイッチユニットを位置指示器本体に取り付けた場合の断面図
【図６】  滑り止め用の円筒状ゴムを位置指示器本体に取り付けた様子を表す図
【符号の説明】
１          位置指示器本体
２          スイッチユニット
１０          芯体
２０          操作部
２１、２２    電極
２５          ネジ
２６          孔
３１、３２    電極
４０          滑り止め用の円筒状のゴム
【図１】
0003849995.tif 000002
【図２】
0003849995.tif 000003
【図３】
0003849995.tif 000004
【図４】
0003849995.tif 000005
【図５】
0003849995.tif 000006
【図６】
0003849995.tif 000007